(57)【要約】複数軸モニタマウント上に取り付けられたモニタを有する体外血液処理装置が、複数軸の周りで前記モニタを回転させる方法と共にここに記載される。１以上の実施形態では、前記モニタマウントは前記体外血液処理装置の洗浄を容易にするために耐水性がある。
2018534063.tif 000002
【特許請求の範囲】
【請求項１】
体外血液処理装置であって、
体外血液処理中に血液及び処理液を移動させるように構成されており、筐体の前面に位置する１以上のポンプと、
視覚画像を表示するように構成された表示面を備えるモニタと、
前記筐体の上面に取り付けられたベースと、ベース及び前記モニタに取り付けられたモニタアームとを含むモニタマウントと、ここで、前記モニタは前記ベース及び前記筐体の前記上面の上に位置しており、前記モニタアームは、
前記表示面が前記筐体の前記前面と同じ方向を向く前向き位置と、前記表示面が前記筐体の左側と同じ方向を向く左向き位置及び前記表示面が前記筐体の右側と同じ方向を向く右向き位置のうちの１つとの間で、前記モニタが回転できるように、前記ベース及び前記筐体の前記上面を通って垂直に向けられた旋回軸の周りを回転し、
前記旋回軸に対して横に向けられた傾斜軸の周りを回転し、前記傾斜軸は前記ベース及び前記筐体の前記上面の上に位置しており、前記モニタは格納位置と動作位置との間で前記傾斜軸の周りを回転するように構成されており、前記格納位置では前記モニタの前記表示面は前記旋回軸に対して略横である平面に向けられており、前記動作位置では前記モニタの前記表示面は前記旋回軸に略位置合わせされている平面に向けられており、
前記筐体内に位置し、前記１以上のポンプに動作可能に接続された制御部と、ここで、前記制御部は、前記１以上のポンプに血液及び処理液を移動するように動作させ、前記モニタを動作させるように構成されており、
前記モニタを前記制御部に接続する第１のケーブルと、を備え、ここで、前記第１のケーブルは前記傾斜軸に略位置合わせされた第１のセグメントと前記旋回軸に略位置合わせされた第２のセグメントとを備えており、前記第１のセグメントは前記第２のセグメントよりも前記モニタに近く、前記第２のセグメントは前記第１のセグメントよりも前記制御部に近く、さらに前記第１のケーブルの前記第２のセグメントは前記筐体に入る、ことを特徴とする体外血液処理装置。
【請求項２】
前記装置は前記モニタを前記制御部に接続する第２のケーブルを備え、前記第１のケーブル及び前記第２のケーブルは、前記モニタ及び前記制御部の間で前記第１のケーブル及び前記第２のケーブルに二またに分かれるケーブルバンドルを備え、
前記第２のケーブルは、前記傾斜軸に略位置合わせされた第１のセグメントと、前記旋回軸に略位置合わせされた第２のセグメントとを備え、前記第２のケーブルの前記第１のセグメントは前記第２のセグメントよりも前記モニタに近く、前記第２のケーブルの前記第２のセグメントは前記第２のケーブルの前記第１のセグメントよりも前記制御部に近く、さらに前記第２のケーブルの前記第２のセグメントは前記筐体に入り、
さらに、前記第１のケーブル及び前記第２のケーブルの前記第１のセグメントは、前記旋回軸の互いに反対側に位置することを特徴とする請求項１に記載の装置。
【請求項３】
前記第１のケーブル及び前記第２のケーブルは、集まって前記筐体内で前記ケーブルバンドルを再形成することを特徴とする請求項２に記載の装置。
【請求項４】
前記第１のケーブルの前記第１のセグメントは、前記第２のケーブルの前記第１のセグメントと前記旋回軸について対称であり、前記第１のケーブルの前記第２のセグメントは、前記第２のケーブルの前記第２のセグメントと前記旋回軸について対称であることを特徴とする請求項２又は３に記載の装置。
【請求項５】
前記モニタアームは、前記左向き位置及び前記右向き位置の両方の間で前記旋回軸の周りを回転するように構成されることを特徴とする請求項１乃至４の何れか１項に記載の装置。
【請求項６】
前記モニタアームは、２７０度以下の弧上で前記旋回軸の周りを回転するように構成されることを特徴とする請求項１乃至４の何れか１項に記載の装置。
【請求項７】
前記モニタアームは、４５度以上の弧上で前記旋回軸の周りを回転するように構成されることを特徴とする請求項１乃至４の何れか１項に記載の装置。
【請求項８】
前記モニタアームが回転の弧の真ん中にある時に、前記モニタが前記前向き位置にあるように、前記旋回軸周りの前記モニタアームの回転の前記弧の中心は、前記筐体の前記前面と位置合わせされていることを特徴とする請求項１乃至４の何れか１項に記載の装置。
【請求項９】
前記モニタマウントの前記ベースは前記旋回軸の周りを回転し、且つ、前記旋回軸が筐体アクセス開口を通過するように位置する前記筐体アクセス開口を備え、
前記モニタアームは、前記モニタマウントの前記ベースに取り付けられたベース端、前記モニタに取り付けられたモニタ端、及び、支柱の前記ベース端に近接するベース端開口、を備える前記支柱を備え、前記支柱は前記傾斜軸の周りを回転するように構成され、前記ベース端開口は前記傾斜軸が前記ベース端開口を通過するように位置し、
前記第１のケーブルの前記第１のセグメントの少なくとも一部が前記支柱の前記ベース端開口と前記ベースの前記筐体アクセス開口との間に位置するように、前記第１のケーブルは、前記支柱の前記ベース端開口を通過した後に前記ベースの前記筐体アクセス開口を通って前記モニタから延びることを特徴とする請求項１乃至８の何れか１項に記載の装置。
【請求項１０】
前記支柱は、前記支柱の前記ベース端と前記モニタ端との間に位置する中間ケーブル開口を備え、前記第１のケーブルは、前記ベース端開口に到達する前に前記中間ケーブル開口を通って前記モニタから延び、前記第１のケーブルは、前記モニタから前記制御部へ前記第１のケーブルに沿って移動する時に前記旋回軸を向く前記支柱の内部側から前記中間ケーブル開口に入ることを特徴とする請求項９に記載の装置。
【請求項１１】
前記支柱は、前記旋回軸が前記支柱の前記ベース端開口を通過しないように、前記旋回軸からオフセットされることを特徴とする請求項９又は１０に記載の装置。
【請求項１２】
前記モニタマウントの前記ベースは前記旋回軸の周りを回転し、且つ、前記旋回軸が筐体アクセス開口を通過するように位置する前記筐体アクセス開口を備え、
前記モニタアームは第１の支柱及び第２の支柱を備え、前記第１及び第２の支柱の各々は、前記モニタマウントの前記ベースに取り付けられたベース端、前記モニタに取り付けられたモニタ端、及び、前記支柱の前記ベース端に近接するベース端開口を備え、前記第１及び第２の支柱の各々は前記傾斜軸の周りを回転するように構成され、前記第１及び第２の支柱の各々の前記ベース端開口は、前記傾斜軸が前記ベース端開口を通過するように位置し、
前記第１のケーブルの前記第１のセグメントの少なくとも一部が、前記支柱の前記ベース端開口と前記ベースの前記筐体アクセス開口との間に位置するように、前記第１のケーブルは、前記第１の支柱の前記ベース端開口を通過した後に前記ベースの前記筐体アクセス開口を通って前記モニタから延び、
前記装置は、前記モニタを前記制御部と接続する第２のケーブルを備え、前記第１のケーブル及び前記第２のケーブルは、前記モニタ及び前記制御部の間で前記第１のケーブル及び前記第２のケーブルに二またに分かれるケーブルバンドルを備え、
前記第２のケーブルは、前記傾斜軸に略位置合わせされた第１のセグメントと、前記旋回軸に略位置合わせされた第２のセグメントとを備え、前記第２のケーブルの前記第１のセグメントは前記第２のセグメントよりも前記モニタに近く、前記第２のケーブルの前記第２のセグメントは前記第２のケーブルの前記第１のセグメントよりも前記制御部に近く、前記第２のケーブルの前記第２のセグメントは前記筐体に入り、前記第２のケーブルの前記第１のセグメントの少なくとも一部が、前記支柱の前記ベース端開口と前記ベースの前記筐体アクセス開口との間に位置するように、前記第２のケーブルは、前記第２の支柱の前記ベース端開口を通過した後に前記ベースの前記筐体アクセス開口を通って前記モニタから延び、
さらに、前記第１のケーブル及び前記第２のケーブルの前記第１のセグメントは、前記旋回軸の互いに反対側に位置することを特徴とする請求項１乃至８の何れか１項に記載の装置。
【請求項１３】
前記第２の支柱は、前記第２の支柱の前記ベース端及び前記モニタ端の間に位置する中間ケーブル開口を備え、前記第２のケーブルは、前記第２の支柱の前記ベース端開口に到達する前に前記第２の支柱の前記中間ケーブル開口を通って前記モニタから延び、前記第２のケーブルは、前記モニタから前記制御部に向かって前記第２のケーブルに沿って移動する時に前記旋回軸を向く前記第２の支柱の内部側から前記中間ケーブル開口に入ることを特徴とする請求項１２に記載の装置。
【請求項１４】
前記モニタが、前記前向き位置、前記左向き位置、及び／又は、前記右向き位置のうちの何れか１つにある時に、前記モニタは、前記格納位置と前記動作位置との間で前記傾斜軸の周りを回転するように構成されることを特徴とする請求項１乃至１３の何れか１項に記載の装置。
【請求項１５】
前記旋回軸に位置合わせされた方向に沿った前記傾斜軸の投影は、前記ベースにおける前記筐体アクセス開口と交差することを特徴とする請求項１乃至１４の何れか１項に記載の装置。
【請求項１６】
前記傾斜軸に位置合わせされた方向に沿った前記旋回軸の投影は、前記支柱のベース端開口と交差することを特徴とする請求項１乃至１５の何れか１項に記載の装置。
【請求項１７】
前記旋回軸は前記傾斜軸と交差することを特徴とする請求項１乃至１４の何れか１項に記載の装置。
【請求項１８】
前記モニタが前記動作位置にある時、前記表示面を含む平面への前記傾斜軸の投影は前記モニタの上部エッジよりも前記モニタの底部エッジの近くに位置し、前記モニタが動作位置にある時、前記モニタの前記底部エッジは前記モニタの前記上部エッジよりも前記筐体の前記上面の近くに位置することを特徴とする請求項１乃至１７の何れか１項に記載の装置。
【請求項１９】
前記モニタは、前記モニタの底部エッジ及び上部エッジの間で測定されるモニタ高さを有し、前記モニタが前記動作位置にある時に、前記モニタの前記底部エッジは、前記モニタの前記上部エッジより前記筐体の前記上面の近くに位置しており、前記モニタが前記動作位置にある時に、前記表示面を含む平面上への前記傾斜軸の投影は、前記モニタ高さの２５％以内である、前記モニタの前記底部エッジからの距離範囲内に位置することを特徴とする請求項１乃至１７の何れか１項に記載の装置。
【請求項２０】
前記モニタマウントは、前記モニタアームに取り付けられたシュラウドを備え、前記モニタが前記筐体に対して許容方向である時に、前記筐体アクセス開口及び前記第１のケーブルの前記第１及び第２のセグメントへの視界アクセスのダイレクトラインは、前記シュラウドによりブロックされることを特徴とする請求項１乃至１９の何れか１項に記載の装置。
【請求項２１】
前記モニタマウントは、前記モニタアームに取り付けられたシュラウドを備え、前記モニタが前記筐体に対して許容方向である時に、前記筐体アクセス開口及び前記第１及び第２のケーブルへの視界アクセスのダイレクトラインは前記シュラウドによりブロックされることを特徴とする請求項２乃至４、１２及び１３の何れか１項に記載の装置。
【請求項２２】
請求項１乃至２１の何れか１項に記載の体外血液処理装置上で前記モニタを操作する方法であって、
前記動作位置から前記格納位置へ前記モニタ及び前記モニタアームを移動することと、
前記モニタ及び前記モニタアームが前記格納位置にある間にフロアにおいて前記体外血液処理装置を移動することと、
前記フロアにおいて体外血液処理装置を移動した後に前記格納位置から前記動作位置へ前記モニタ及び前記モニタアームを移動することと
含むことを特徴とする方法。
【請求項２３】
前記方法は、前記前向き位置と前記左向き位置及び前記右向き位置の少なくとも１つとの間で前記モニタを移動するために前記旋回軸の周りで前記モニタ及び前記モニタアームを回転させることをさらに含むことを特徴とする請求項２２に記載の方法。
【請求項２４】
前記方法は、前記前向き位置、前記左向き位置及び前記右向き位置の間で前記モニタを移動するために前記旋回軸の周りで前記モニタ及び前記モニタアームを回転させることをさらに含むことを特徴とする請求項２２に記載の方法。
【発明の詳細な説明】
【技術分野】
【０００１】
本願は、2015年11月18日に出願された米国仮出願第62/256,876号の35U.S.C.§119の下での利益を主張し、その全体が参照により本明細書に組み込まれる。
【０００２】
体外血液処理装置の動作中に使用されるディスプレイを取り付けるための複数軸モニタマウントを有する体外血液処理装置は、モニタを回転させる方法と共にここに記載される。
【背景技術】
【０００３】
体外血液処理装置は、患者から血液を取り出し、（望ましくない物質または分子を血液から抽出し、及び／又は、有益な物質又は分子を血液に付加するために）患者の外部で血液を処理し、処理後に、処理された血液を患者に戻す。体外血液処理装置は、制御部及びソフトウェアによって制御されなければならない複数のポンプ、バルブ、スイッチ、センサなどを含むことが多い。
【０００４】
体外血液処理装置の操作者は、制御部との情報をやり取りする方法を提供されなければならない。１以上の実施形態では、ＧＵＩ（Ｇｒａｐｈｉｃａｌ  Ｕｓｅｒ  Ｉｎｔｅｒｆａｃｅ）を表示するタッチスクリーンを備えたモニタを介してコマンドが入力され、体外血液処理装置を制御するためにコマンドを制御部に入力するために使用することができる。そのようなインターフェースは有用であるかもしれないが、1以上の実施形態では、体外血液処理装置のためのより大きな筐体をもたらし、ユニットの輸送および保管に問題を引き起こすかもしれない。
【発明の概要】
【０００５】
複数軸モニタマウントに取り付けたモニタを有する体外血液処理装置が、複数軸の周りでモニタを回転させる方法とともにここに記載される。１以上の実施形態では、モニタマウントは、血液処理装置の洗浄を容易にするために耐水性がある。
【０００６】
ここに記載される体外血液処理装置は、モニタマウントによって体外血液処理装置の筐体の上面に取り付けられたモニタを含む。１以上の実施形態では、モニタを筐体の上面に取り付けるためにモニタマウントを使用することで、操作者にとってＧＵＩを視るのに便利な高さにモニタ（したがって、モニタの表示面に表示される任意のＧＵＩ）が配置される。モニタがタッチスクリーンモニタである場合は、モニタの表示面上の様々な制御点にタッチすることによってコマンドを入力する。
【０００７】
１以上の実施形態では、操作者が機械の異なる側（例えば、前側、左側及び／又は右側）でタスクを実行する必要があり、これらのタスクを実行している間に、操作者は、表示画面がタッチスクリーンである場合、潜在的に体外血液処理装置を制御する制御部のための１以上のコマンドを入力する。したがって、垂直に向けられた旋回軸の周りのモニタの回転は、操作者が装置のどの側で作業しているかに関わらず表示面が操作者に向くようにモニタが回転されてもよいので、ここに記載される体外血液処理装置の異なる側で作業する間に、操作者に潜在的な利点を提供するかもしれない。
【０００８】
ここに記載された体外血液処理装置に関連して使用されるモニタマウントは、垂直に向けられた旋回軸周りの回転を可能にすることに加えて、旋回軸を横切る方向に向けられた傾斜軸の周りでモニタの回転も可能にしてもよい。傾斜軸の周りのモニタの回転は、例えば、異なる高さの操作者によってより容易に見られるように、操作者が表示面の向きを調整することを可能にしてもよい。
【０００９】
１以上の実施形態では、ここに記載された体外血液処理装置を医療施設内で輸送することは、機械の高さが機械を運ぶ人の視界を妨害する場合に問題を引き起こすかもしれない。ここに記載される体外血液処理装置の1以上の実施形態では、モニタマウントは、略垂直な方向からモニタの表示面が略水平に向けられる格納位置へ表示面が回転できるように、傾斜軸の周りでモニタの回転を可能にするように構成されてもよい。１以上の実施形態では、モニタの表示面は、筐体の上面に向いてもよく、或いは、略水平方向にある時に体外血液処理装置の筐体の上面から離れるように向いてもよい。その格納された構成では、モニタは、典型的には、はるかに低い背丈を提供し、したがって、医療施設で体外血液処理装置を移動させる操作者に対して大幅に改善された視界を提供するかもしれない。
【００１０】
モニタから筐体内に位置する制御部への配線は、短絡または開回路を引き起こす損傷を引き起こす可能性のある屈曲、張力及び／又は圧縮の繰り返しを受けるように配線されている場合に問題となる。ここに記載される体外血液処理装置の１以上の実施形態では、モニタと体外血液処理装置の筐体内の制御部との間に延びるケーブルへのストレスは、ケーブルのセグメントが、体外血液装置の筐体に入る前に傾斜軸に沿って略位置合わせされ、それは略旋回軸に沿って位置合わせされるように、ケーブルを配線することによって低減されてもよい。このようなケーブルの配線は、旋回軸と旋回軸の両方についてのモニタの回転中にケーブルに加えられるねじり力を低減するかもしれない。
【００１１】
体外血液処理装置に取り付けられたモニタがタッチスクリーンである実施形態では、旋回軸及び傾斜軸の周りでモニタを回転させるのに必要な力を制御することは、操作者がタッチスクリーン上に表示されるＧＵＩにコマンドを入力している時にモニタの移動を防止するのに役立つかもしれない。１以上の実施形態では、モニタマウントは、モニタの回転を制御するために選択されたレベルの摩擦を提供するように構成されてもよい。
【００１２】
ここに記載される体外血液処理装置は、様々な液体洗浄溶液を使用して装置のすべての表面の洗浄および消毒を必要とすることがある。一般に、これらの洗浄溶液は、体外血液処理装置の筐体に入るのを防止されるべきである。結果として、体外血液処理装置の筐体上にモニタを固定するために使用されるモニタマウントは、１以上の実施形態において、筐体への液体の侵入を制限するために耐水性があってもよい。
【００１３】
１つの態様では、ここに記載される体外血液処理装置は、筐体の前面に位置する１以上のポンプであって、前記１以上のポンプは体外血液処理中に血液及び処理溶液を移動させるように構成されている、前記１以上のポンプと、視覚画像を表示するように構成された表示面を備えるモニタと、前記筐体の上面に取り付けられたベースと、ベース及び前記モニタに取り付けられたモニタアームとを備えるモニタマウントとを含んでもよい。前記モニタは前記ベース及び前記筐体の前記上面の上に位置しており、前記モニタアームは、前記モニタが、前記表示面が前記筐体の前記前面と同じ方向を向いている前向き位置と、前記表示面が前記筐体の左側と同じ方向を向いている左向き位置及び前記表示面が前記筐体の右側と同じ方向を向いている右向き位置のうちの１つとの間で回転されうるように、前記ベース及び前記筐体の前記上面を通って垂直に向けられた旋回軸の周りで回転するように構成され、前記旋回軸に対して横に向けられた傾斜軸の周りを回転するように構成され、前記傾斜軸は前記ベース及び前記筐体の前記上面の上に位置しており、前記モニタは格納位置と動作位置との間で前記傾斜軸の周りを回転するように構成されており、前記格納位置では前記モニタの前記表示面は前記旋回軸に対して略横である平面に向けられており、前記動作位置では前記モニタの前記表示面は前記旋回軸に略位置合わせされている平面に向けられている。前記体外血液処理装置はまた、前記筐体内に位置しており且つ１以上のポンプと動作可能に接続された制御部であって、前記制御部は、血液及び治療溶液を移動させるために前記１以上のポンプを動作させ、及び前記モニタを動作させるように構成されている、前記制御部と、前記モニタを前記制御部に接続する第１のケーブルであって、前記第１のケーブルは前記傾斜軸と略位置合わせされた第１のセグメント及び前記旋回軸と略位置合わせされた第２のセグメントを備え、前記第１のセグメントは、前記第２のセグメントよりも前記モニタに近く、前記第２のセグメントは前記第１のセグメントよりも前記制御部に近く、さらに前記第１のケーブルの前記第２のセグメントは前記筐体に入る。
【００１４】
ここに記載される前記体外血液処理装置の１以上の実施形態では、前記装置は前記モニタを前記制御部に接続する第２のケーブルを備え、前記第１のケーブル及び前記第２のケーブルは、前記モニタ及び前記制御部の間で前記第１のケーブル及び前記第２のケーブルに二またに分かれるケーブルバンドルを備え、前記第２のケーブルは、前記傾斜軸に略位置合わせされた第１のセグメントと、前記旋回軸に略位置合わせされた第２のセグメントとを備え、前記第２のケーブルの前記第１のセグメントは前記第２のセグメントよりも前記モニタに近く、前記第２のケーブルの前記第２のセグメントは前記第２のケーブルの前記第１のセグメントよりも前記制御部に近く、さらに前記第２のケーブルの前記第２のセグメントは前記筐体に入り、さらに、前記第１のケーブル及び前記第２のケーブルの前記第１のセグメントは、前記旋回軸の互いに反対側に位置する。１以上の実施形態では、前記第１のケーブル及び前記第２のケーブルは、集まって前記筐体内で前記ケーブルバンドルを再形成する。１以上の実施形態では、前記第１のケーブルの前記第１のセグメントは、前記第２のケーブルの前記第１のセグメントと前記旋回軸について対称であり、前記第１のケーブルの前記第２のセグメントは、前記第２のケーブルの前記第２のセグメントと前記旋回軸について対称である。
【００１５】
ここに記載される前記体外血液処理装置の１以上の実施形態では、前記モニタアームは、前記左向き位置及び前記右向き位置の両方の間で前記旋回軸の周りをについて回転するように構成される。
【００１６】
ここに記載される前記体外血液処理装置の１以上の実施形態では、前記モニタアームは、２７０度以下の弧上で前記旋回軸の周りを回転するように構成される。
【００１７】
ここに記載される前記体外血液処理装置の１以上の実施形態では、前記モニタアームは、４５度以上の弧上で前記旋回軸の周りを回転するように構成される。
【００１８】
ここに記載される前記体外血液処理装置の１以上の実施形態では、前記モニタアームが回転の前記弧の真ん中にある時に、前記モニタが前記前向き位置にあるように、前記旋回軸周りの前記モニタアームの回転の弧の中心は、前記筐体の前記前面と位置合わせされている。
【００１９】
ここに記載される前記体外血液処理装置の１以上の実施形態では、前記モニタマウントの前記ベースは、前記旋回軸の周りを回転し、且つ前記旋回軸が筐体アクセス開口を通過するように位置する前記筐体アクセス開口を備え、前記モニタアームは、前記モニタマウントの前記ベースに取り付けられたベース端、前記モニタに取り付けられたモニタ端、及び、支柱の前記ベース端に近接するベース端開口を備える前記支柱を備え、前記支柱は前記傾斜軸の周りを回転するように構成され、前記ベース端開口は前記傾斜軸が前記ベース端開口を通過するように位置し、前記第１のケーブルの前記第１のセグメントの少なくとも一部が前記支柱の前記ベース端開口と前記ベースの前記筐体アクセス開口との間に位置するように、前記第１のケーブルは、前記支柱の前記ベース端開口を通過した後に前記ベースの前記筐体アクセス開口を通って前記モニタから延びる。１以上の実施形態では、前記支柱は、前記支柱の前記ベース端と前記モニタ端との間に位置する中間ケーブル開口を備え、前記第１のケーブルは、前記ベース端開口に到達する前に前記中間ケーブル開口を通って前記モニタから延び、前記第１のケーブルは、前記モニタから前記制御部へ前記第１のケーブルに沿って移動する時に前記旋回軸を向く前記支柱の内部側から前記中間ケーブル開口に入る。１以上の実施形態では、前記支柱は、前記旋回軸が前記支柱の前記ベース端開口を通過しないようにように、前記旋回軸からオフセットされる。
【００２０】
ここに記載される前記体外血液処理装置の１以上の実施形態では、前記モニタマウントの前記ベースは、前記旋回軸の周りを回転し、且つ前記旋回軸が筐体アクセス開口を通過するように位置する前記筐体アクセス開口を備え、前記モニタアームは第１の支柱及び第２の支柱を備え、前記第１及び第２の支柱の各々は、前記モニタマウントの前記ベースに取り付けられたベース端、前記モニタに取り付けられたモニタ端、及び、前記支柱の前記ベース端に近接するベース端開口を備え、前記第１及び第２の支柱の各々は前記傾斜軸の周りを回転するように構成され、前記第１及び第２の支柱の各々の前記ベース端開口は、前記傾斜軸が前記ベース端開口を通過するように位置し、前記第１のケーブルの前記第１のセグメントの少なくとも一部が、前記支柱の前記ベース端開口と前記ベースの前記筐体アクセス開口との間に位置するように、前記第１のケーブルは、前記第１の支柱の前記ベース端開口を通過した後に前記ベースの前記筐体アクセス開口を通って前記モニタから延び、前記装置は、前記モニタを前記制御部と接続する第２のケーブルを備え、前記第１のケーブル及び前記第２のケーブルは、前記モニタ及び前記制御部の間で前記第１のケーブル及び前記第２のケーブルに二またに分かれるケーブルバンドルを備え、前記第２のケーブルは、前記傾斜軸に略位置合わせされた第１のセグメントと、前記旋回軸に略位置合わせされた第２のセグメントとを備え、前記第２のケーブルの前記第１のセグメントは前記第２のセグメントよりも前記モニタに近く、前記第２のケーブルの前記第２のセグメントは前記第２のケーブルの前記第１のセグメントよりも前記制御部に近く、前記第２のケーブルの前記第２のセグメントは前記筐体に入り、前記第２のケーブルの前記第１のセグメントの少なくとも一部が、前記支柱の前記ベース端開口と前記ベースの前記筐体アクセス開口との間に位置するように、前記第２のケーブルは、前記第２の支柱の前記ベース端開口を通過した後に前記ベースの前記筐体アクセス開口を通って前記モニタから延び、さらに、前記第１のケーブル及び前記第２のケーブルの前記第１のセグメントは、前記旋回軸の互いに反対側に位置する。１以上の実施形態では、前記第２の支柱は、前記第２の支柱の前記ベース端及び前記モニタ端の間に位置する中間ケーブル開口を備え、前記第２のケーブルは、前記第２の支柱の前記ベース端開口に到達する前に前記第２の支柱の前記中間ケーブル開口を通って前記モニタから延び、前記第２のケーブルは、前記モニタから前記制御部に向かって前記第２のケーブルに沿って移動する時に前記旋回軸を向く前記第２の支柱の内部側から前記中間ケーブル開口に入る。
【００２１】
ここに記載される前記体外血液処理装置の１以上の実施形態では、前記モニタが、前記前向き位置、前記左向き位置、及び／又は、前記右向き位置のうちの何れか１つにある時に、前記モニタは、前記格納位置と前記動作位置との間で前記傾斜軸の周りを回転するように構成される。
【００２２】
ここに記載される前記体外血液処理装置の１以上の実施形態では、前記旋回軸に位置合わせされた方向に沿った前記傾斜軸の投影は、前記ベースにおける前記筐体アクセス開口と交差する。
【００２３】
ここに記載される前記体外血液処理装置の１以上の実施形態では、前記傾斜軸に位置合わせされた方向に沿った前記旋回軸の投影は、前記支柱のベース端開口と交差する。
【００２４】
ここに記載される前記体外血液処理装置の１以上の実施形態では、前記旋回軸は前記傾斜軸と交差する。
【００２５】
ここに記載される前記体外血液処理装置の１以上の実施形態では、前記モニタが前記動作位置にある時、前記表示面を含む平面への前記傾斜軸の投影は前記モニタの上部エッジよりも前記モニタの底部エッジの近くに位置し、前記モニタが動作位置にある時、前記モニタの前記底部エッジは前記モニタの前記上部エッジよりも前記筐体の前記上面の近くに位置する。
【００２６】
ここに記載される前記体外血液処理装置の１以上の実施形態では、前記モニタは、前記モニタの底部エッジ及び上部エッジの間で測定されるモニタ高さを有し、前記モニタが前記動作位置にある時に、前記モニタの前記底部エッジは、前記モニタの前記上部エッジより前記筐体の前記上面の近くに位置しており、前記モニタが前記動作位置にある時に、前記表示面を含む平面上への前記傾斜軸の投影は、前記モニタ高さの２５％以内である、前記モニタの前記底部エッジからの距離範囲内に位置する。
【００２７】
ここに記載される前記体外血液処理装置の１以上の実施形態では、前記モニタマウントは、前記モニタアームに取り付けられたシュラウド（覆い）を備え、前記モニタが前記筐体に対して許容方向である時に、前記筐体アクセス開口及び前記第１のケーブルの前記第１及び第２のセグメントへの視界アクセスのダイレクトラインは、前記シュラウドによりブロックされる。
【００２８】
ここに記載される前記体外血液処理装置の１以上の実施形態では、前記モニタマウントは、前記モニタアームに取り付けられたシュラウドを含んでもよく、前記モニタが前記筐体に対して許容方向である時に、前記筐体アクセス開口及び前記第１及び第２のケーブルへの視界アクセスのダイレクトラインは前記シュラウドによりブロックされる。
【００２９】
第２の態様では、ここに記載されるような体外血液処理装置上で前記モニタを操作する方法は、前記動作位置から前記格納位置へ前記モニタ及び前記モニタアームを移動することと、前記モニタ及び前記モニタアームが前記格納にある間にフロアにおいて前記体外血液処理装置を移動することと、前記フロアにおいて体外血液処理装置を移動した後に前記格納位置から前記動作位置へ前記モニタ及び前記モニタアームを移動することと含んでもよい。
【００３０】
ここに記載される前記方法の１以上の実施形態では、前記方法は、前記前向き位置と前記左向き位置及び前記右向き位置の少なくとも１つとの間で前記モニタを移動するために前記旋回軸の周りで前記モニタ及び前記モニタアームを回転させることをさらに含む。
【００３１】
ここに記載される前記方法の１以上の実施形態では、前記方法は、前記前向き位置、前記左向き位置及び前記右向き位置の間で前記モニタを移動するために前記旋回軸の周りで前記モニタ及び前記モニタアームを回転させることをさらに含む。
【００３２】
ここで及び添付の特許請求の範囲で使用されるように、単一形“ａ（１つの）”、“ａｎ（１つの）”及び“ｔｈｅ（前記）”は、文脈がそうではないと明確に記さない限り複数の指示対象を含む。従って、例えば、“ａ（１つの）”又は“ｔｈｅ（前記）”構成要素への言及は、１以上の当該構成要素及び当業者にとって既知であるその均等物を含んでもよい。さらに、用語“及び／又は”は、記載された構成要素の１つ又は全て、又は、記載された要素の任意の２つ以上の組み合わせを意味している。
【００３３】
用語“備える”及びその変形は、それらの用語が添付の記載に現れる場合に限定的な意味を有するものではない。さらにその上、“ａ（１つの）”、“ａｎ（１つの）”、“ｔｈｅ（前記）”、“少なくとも１つ”及び“１以上”が、ここで交換可能に使用される。
【００３４】
上記の発明の概要は、ここに記載されるような前記体外血液処理装置の各実施形態又はあらゆる実施を記載することを意図していない。むしろ、本発明のより完全な理解が、添付の図面に照らして以下の例示的な実施形態及び特許請求の範囲の参照により明らかになり且つ理解されるだろう。
【図面の簡単な説明】
【００３５】
【図１】ここに記載されるモニタ及びモニタマウントを含む体外血液処理装置の一実施形態の前のビューである。
【図２】図２は、図１に描写される体外血液処理装置の左側ビューである。
【図３】図３は、図１及び図２に描写される体外血液処理装置の上ビューである。
【図４】図４は、体外血液処理装置の左側を向くように旋回軸の周りで回転されるモニタを有する体外血液処理装置の１つの例示的実施形態の正面ビューである。
【図５】図５は、図４に描写される体外血液処理装置の左側ビューである。
【図６】図６は、ここに記載されるような傾斜軸の周りでのモニタ及びモニタアームの回転後に（図１乃至図３に描写されるような）動作位置から格納位置の一実施形態へ回転されたモニタを有する体外血液処理装置の例示的な実施形態の左側ビューである。
【図７】図７は、ここに記載されるような体外血液処理装置の筐体の内部に位置する制御部とモニタとの間に延びる内部構成及びケーブルを露出するためにシュラウドが除去されたモニタ及びモニタマウントの一実施形態の背面のビューである。
【図８】図８は、ここに記載される体外血液処理装置の１以上の実施形態で使用されるようなモニタマウントの１つの例示的な実施形態を描写する分解組立図である。
【図９】図９は、ベースロックナット１７０、凹状ばね座金１８０及び摩耗ディスク１７９を描写する図８の分解組立図の部分の拡大ビューである。
【図１０】図１０は、ベース１５０の下の構成要素を描写する図８の分解組立図の部分の拡大ビューである。
【図１１】図１１は、傾斜軸１３３に沿って位置合わせされた構成要素を描写する図８の分解組立図の部分の拡大ビューである。
【図１２Ａ】図１２Ａは、ここに記載されるような体外血液処理装置の筐体における筐体アクセス開口に対する旋回軸及び傾斜軸の１つの例示的構成を描写する概略図である。
【図１２Ｂ】図１２Ｂは、旋回軸１３１の方向に沿って見た図１２の図のビューである。
【図１３】図１３は、ここに記載されるようなモニタマウントを覆うために使用されうるシュラウドアセンブリの１つの例示的な実施形態の分解斜視ビューである。
【発明を実施するための形態】
【００３６】
例示的な実施形態の以下の記載では、この一部を形成する添付の図面に参照が行われ、実例として、特定の実施形態が示される。他の実施形態が利用されてもよく、本発明の範囲を逸脱することなく構造的な変更が行われてもよいことが理解されるだろう。
【００３７】
図１乃至図３を参照して、体外血液処理装置の１つの例示的な実施形態を描写する。装置１０は、筐体１２の前面に位置する１以上のポンプ１４を有する筐体１２を含む。１以上のポンプは、１以上の実施形態では、体外血液処理装置１０を使用して実行される体外血液処理中に、血液、処理溶液、排液等を移動するように構成されてもよい。ポンプ１４は蠕動式ポンプの形態で描写されるが、ここに記載される体外血液処理装置で使用されるポンプは、例えばピストンポンプ、ダイヤフラムポンプ等の様々な代替形態で提供されてもよい。体外血液処理装置１０の例示的な実施形態と関連して描写される他の特徴は、ホイール１７が取り付けられるベース１５から上向きに延びる脚１３に加えて、フロントハンドル１６及びリアハンドル１８である。
【００３８】
ここに記載される体外血液処理装置は、１以上の実施形態では、ユーザに対して視覚画像の形態で情報を伝達するために使用される表示面２２を有するモニタ２０も含む。１以上の実施形態では、モニタ２０が表示面２２との物理的接触を通じてコマンド入力を可能なタッチスクリーンの形態である場合、モニタ２０及び表示面２２は体外血液処理装置１０の動作を制御するために入力装置としても使用されてもよい。
【００３９】
１以上の実施形態では、体外血液処理装置は、モニタ２０を体外血液処理装置１０に取り付けるために使用されるモニタマウント３０を含む。モニタマウント３０は、筐体１２の上面に取り付けられるベース３２及び当該ベース３２からモニタ２０へ延びるモニタアーム３４を含んでもよい（例えば図２参照）。モニタ２０は、モニタマウント３０の描写された例示的な実施形態により体外血液処理装置１０に取り付けられる場合にベース３２及び筐体１２の上面の上に位置する。
【００４０】
モニタアーム３４は、１以上の実施形態では、モニタマウント３０のベース３２及び筐体１２の上面を通って垂直に向けられている旋回軸３１の周りを回転するように構成されている。そのように取り付けられる時、モニタ２０は、１以上の実施形態では、前向き位置、左向き位置、及び右向き位置の間で回転されうる。
【００４１】
１以上の実施形態では、モニタマウント３０は、任意の選択された弧上において旋回軸３１の周りのモニタ２０の回転を可能にするように構成されてもよい。例えば、１以上の実施形態では、モニタマウント３０は、３６０度以下、２７０度以下、１８０度以下、１５０度以下、１２０度以下、９０度以下等の弧上において旋回軸３１の周りのモニタ２０の回転を可能にするように構成されてもよい。１以上の実施形態では、モニタマウント３０は、４５度以上、６０度以上、９０度以上等の弧上において旋回軸３１の周りのモニタ２０の回転を可能にするように構成されてもよい。１以上の実施形態では、旋回軸３１の周りの回転の任意の弧の中心は、モニタ２０が回転の弧の真ん中（中央）にある時に、モニタ２０が、ここで記載されるような体外血液処理装置の筐体１２の前面と同じ方向を表示面２２が向く前向き位置にあるように、筐体１２の前面に位置合わせされてもよい。
【００４２】
左向き位置では、モニタアーム３４は、モニタ２０の表示面２２が、１以上の実施形態では、体外血液処理装置１０の筐体１２の左側と同じ方向を向くように旋回軸３１の周りを回転される。モニタアーム３４及びモニタ２０は、図４及び図５における向きで描写されている。左向き位置では、モニタ２０の表示面２２は、筐体１２の左側と平行であってもよいし、或いは平行でなくてもよい。モニタ２０の表示面２２は、体外血液処理装置の左側に立っているユーザが、装置の動作中にモニタ２０を見ることができる及び必要に応じて使用することができる地点へ筐体１２の左側に向かって回転されることで十分かもしれない。
【００４３】
右向き位置では、モニタアーム３４は、モニタ２０の表示面２２が体外血液処理装置１０の筐体１２の右側と同じ方向を向くように旋回軸３４の周りを回転される。左向き位置と同様に、モニタ２０の表示面２２は、筐体１２の右側と平行であってもよいし、或いは平行でなくてもよい。モニタ２０の表示面２２は、体外血液処理装置の右側に立っているユーザが、装置の動作中にモニタを見ることができる及び必要に応じて使用することができる地点へ筐体１２の左側に向かって回転されることで十分かもしれない。
【００４４】
体外血液処理装置１０の描写される実施形態は、モニタ２０の表示面２２が、表示面２２が筐体１２の左側と同じ方向を向く左向き位置及び表示面２２が筐体１２の右側と同じ方向を向く右向き位置から移動できるように、旋回軸３１の周りのモニタの回転を可能にするように構成されたモニタ２０及びモニタマウント３０を含む。しかしながら、１以上の実施形態では、モニタ２０及びモニタマウント３０は、旋回軸３１の周りのモニタ２０のより多くの或いはより少ない回転を可能にするように構成されてもよい。例えば、１以上の実施形態では、モニタ２０は、前向き位置から左向き位置又は右向き位置の１つのみに回転するように構成されてもよい（例えば、操作者が装置を動作させるために筐体の一方側に立つ必要がないので、体外血液処理装置１０が、その側へのモニタの回転が動作（操作）のために必要とされない場合）。
【００４５】
１以上の代替実施形態では、モニタ２０は、モニタ２０の表示面２２が筐体１２の後ろ（背面）と同じ方向を向く後向き位置へ回転するように構成されてもよい。モニタ２０が後向き位置へ回転するように構成されてもよい１以上の実施形態では、モニタ２０は、モニタ２０が取り付けられる体外血液処理装置１０の特定の構成及びニーズに応じて、左向き位置及び右向き位置の何れか又は両方を通過することによって後向き位置に到達してもよい。
【００４６】
垂直に向けられた旋回軸３１の周りの回転を可能にすることに加えて、ここで記載される体外血液処理装置１０のモニタマウント３０は、１以上の実施形態では、旋回軸３１に対して横に向けられている傾倒軸３３の周りのモニタ２０の回転も可能にしてもよい。傾倒軸３３の周りのモニタ２０の回転は、異なる身長の操作者によって、より容易に見られるように、操作者が表示面２２の向きを調整することを可能にしてもよい。傾倒軸３３は旋回軸３１に対して横に向けられて記載されているが、軸間の関係は、垂直であってもよく或いは垂直でなくてもよく、すなわち、相互の軸の向きは変化してもよいが、一般に横であるだろう（例えば、それらの軸が旋回軸３１を含む垂直平面上に投影される時に、それらの軸は８０度から１００度の角度を形成してもよい）。
【００４７】
１以上の実施形態では、体外血液処理装置１０は、患者近くの位置へ、出入口を通って、廊下において、エレベータの中へ及びエレベータの外へ等、装置１０を操作するためにフロントハンドル１６及び／又はリアハンドル１８の１つ又は両方を使用して操作者によって、医療施設内で移動されてもよい。しかしながら、体外血液処理装置１０の移動は、（例えば図１に見られるような）立位においてモニタ２０を有する装置１０の高さが、装置１０を移動する人物の視界を妨害する場合に問題を引き起こすかもしれない。
【００４８】
その問題に対処するために、ここに記載される体外血液処理装置は、１以上の実施形態では、表示面２２が、（例えば図１−図５に見られるように）略垂直な向きから、モニタ２０の表示面２２が例えば図６に見られるように略水平に向けられる格納位置へ回転されうるように、傾斜軸３３の周りのモニタ２０及びモニタアーム３４の回転を可能にするように構成されてもよいモニタマウント３０を含んでもよい。格納位置では、モニタ２０は、典型的には、はるかに低い背を提供し、したがって、フロントハンドル１６及び／又はリアハンドル１８を使用して医療施設で体外血液処理装置を移動させる操作者に対して大幅に改善された視界を提供するかもしれない。
【００４９】
ここで使用されるように用語“略水平”は、表示面２２が旋回軸３１に対して略横である平面に位置していることを意味しており、ここで、用語“横”は、ここで記載されるような旋回軸及び傾斜軸の相互の向きと関連して使用されるのと同じ意味を有している（すなわち、表示面２２が位置する平面は旋回軸３１と垂直であってもよいし、或いは、それは単にその軸に略垂直であってもよく、例えば旋回軸３１は、表示面２２が位置する平面と８０度から１００度の角度を形成してもよい）。
【００５０】
図６に描写されるような体外血液処理装置１０の例示的な実施形態では、モニタ２０の表示面２２は、モニタ２０及びモニタアーム３４が格納位置に操作される時に体外血液処理装置１０の筐体１２の上面から離れるように向く。しかしながら、１以上の実施形態では、モニタ２０及びモニタアーム３４は、格納位置の時に装置１０が位置するフロアに向かってモニタ２０の表示面２２が下を向くように操作されてもよい。さらに他の実施形態では、モニタ２０及びモニタアーム３４は、格納位置の何れか、すなわち表示面２２が上へ（例えば図６に見られるように）又は装置１０が位置するフロアに向かって下へ向くようにモニタが傾斜軸の周りで回転される格納位置を可能にするように構成されてもよい。
【００５１】
１以上の実施形態では、モニタマウント３０は、任意の選択された弧上における傾斜軸３３の周りのモニタ２０の回転を可能にするように構成されてもよい。例えば、１以上の実施形態では、モニタマウントは、１８０度以下、１５０度以下、１２０度以下、９０度以下等の弧上における傾斜軸３３の周りのモニタアーム３４及びモニタ２０の回転を可能にするように構成されてもよい。１以上の実施形態では、モニタマウント３０は、４５度以上、６０度以上、７５度以上等の弧上における傾斜軸３３の周りのモニタ２０の回転を可能にするように構成されてもよい。
【００５２】
１以上の実施形態では、傾斜軸３３は、モニタ２０の底部エッジ２４に近接して位置してもよく、ここで“近接”は、モニタ２０の上部エッジ２６よりもモニタ２０の底部エッジ２４の近くに傾斜軸３１が位置していることを意味している（例えば図１及び図２に見られるようにモニタ２０及び表示面２２が略垂直な向きにある時に、モニタ２０の底部エッジ２４が体外血液処理装置１０の筐体１２の上面の最も近くに位置している）。１以上の実施形態では、モニタ２０は、モニタ２０の底部エッジ２４及び上部エッジ２６の間で測定されるようなモニタ高さを有してもよく、傾斜軸３１は、モニタ高さの２５％以内であるモニタ２０の底部エッジ２４からの距離範囲内に位置するように記載されてもよい。モニタ２０の上部エッジ２６よりも底部エッジ２４に近い傾斜軸３１の配置により、ここで記載されるような格納位置にある時にモニタ２０及びモニタアーム３４がより低い背となってもよい。
【００５３】
例えば図２乃至４及び図６に見られるように、ここに記載される体外血液処理装置１０は、モニタアーム３４の内部構成要素、及びモニタ２０を体外血液処理装置１０の筐体内の構成要素に接続する任意のケーブル、の視界アクセスのダイレクトラインが許容されないように、シュラウド３６により覆われるモニタアーム３４を含んでもよい。通常使用中にモニタアームの内部構成要素（例えば、ケーブル、支柱等）の視界アクセスのダイレクトラインを防止する、且つ、１以上の実施形態では、体外血液処理装置１０を消毒するために使用される洗浄溶液の筐体１２の内部への侵入を防止する或いは少なくとも十分制限してもよいシュラウドで、モニタアーム３４の内部構成要素を覆うことである。
【００５４】
ここで議論されるように、モニタから、ここに記載されるように体外血液処理装置の筐体内に位置する制御部までのケーブルの配線は、旋回軸及び傾斜軸の１つ又は両方の周りのモニタの移動中に屈曲、張力及び／又は圧縮の繰り返しを受けるようにケーブルが配線されている場合に問題となるかもしれない。例えば、そのような移動は、何回も繰り返される場合に、結局ケーブルに損傷を与えるかもしれず、それは短絡または開回路を引き起こしうる。
【００５５】
ここに記載される体外血液処理装置の１以上の実施形態では、モニタと装置の筐体内の制御部との間に延びるケーブルへのストレスは、ケーブルが体外血液装置の筐体に入る前にケーブルのセグメントが傾斜軸に沿って略位置合わせされるように、ケーブルを配線することによって低減されてもよく、ここで、それは旋回軸に沿って略位置合わせされている。そのようなケーブルの配線は、旋回軸及び／又は傾斜軸の周りのモニタの回転中にケーブルに加えられる力を低減するかもしれない。
【００５６】
ここに記載されるようなモニタアームの内部構成要素がモニタ１２０の後ろ（背面）に取り付けられるように視認可能である、そうした構成の１つの例示的な実施形態が、図７に描写される。モニタアームの構成要素は、筐体１１２の上面に位置するベース１５０から上に延びる１以上の支柱１４０を含む。描写される実施形態では、ケーブルバンドル１９０は、モニタ１２０を、筐体１１２の内部に位置する制御部１１１に接続する。制御部１１１と動作可能に接続もされてもよいポンプ１１４も図７に描写されている。
【００５７】
モニタ１２０が回りを回転する旋回軸１３１及び傾斜軸１３３も、ここに記載されるようなケーブルの配線を説明するために図７に描写されている。典型的には、モニタ１２０を制御部１１に接続するために複数のケーブルが使用されるだろうし、そのようなわけでケーブルバンドル１９０がモニタ１２０及び制御部１１１の間に延びている。特に、ケーブルバンドル１９０の描写される実施形態は、モニタ１２０に取り付けられたケーブルバンドル１９０の部分であり（且つ描写される実施形態では、制御部１１１に到達する前にケーブルバンドル１９０を再形成するために出会う）別個の（分離した）ケーブルバンドル１９２及び１９４に二またに分かれている。両方の二またに分かれたケーブルバンドル１９２及び１９４は複数のケーブルを含むものとして描写されているが、ここに記載されるモニタマウントの１以上の実施形態では、ケーブルバンドル１９０は、二またに分かれたケーブルバンドル１９２及び１９４の１つ又は両方が単一ケーブルのみを含むように二またに分かれてもよい。１以上の実施形態では、二またに分かれたケーブルバンドル１９２及び１９４は、垂直に向けられた旋回軸１３１について対称であるパスに沿って配線されてもよい。
【００５８】
１以上の代替実施形態では、モニタ１２０は、モニタ１２０から制御部１１１へ延びる単一のケーブルによって接続されてもよい。そのような代替実施形態では、単一ケーブルは、ここに記載されるような旋回軸及び傾斜軸に沿って位置合わせされた第１及び第２のセグメントをさらに含むだろう。
【００５９】
モニタ１２０を制御部１１１に接続するケーブルバンドル１９２及び１９４は、ここに含まれるケーブルの数に関わらず、各々が傾斜軸１３３に略位置合わせされた第１のセグメント１９６及び旋回軸１３１に略位置合わせされた第２のセグメント１９８を含むだろう。１以上の実施形態では、第２のセグメント１９８は、第１のセグメント１９６よりも制御部１１１の近くに位置するものとして記載されてもよい。換言すれば、モニタ１２０から制御部１１１までケーブルに沿って進行する時に、第１のセグメント１９６と最初に出会い、第２のセグメント１９８が続くだろう。
【００６０】
ケーブルバンドル１９２及び１９４は、例えば描写される例示的な実施形態等の１以上の実施形態では、傾斜軸１３３に沿って反対方向からモニタアームアセンブリにおける開口に入ってもよい。ケーブルバンドル１９２及び１９４の第１のセグメント１９６は、１以上の実施形態では、旋回軸１３１の互いに反対側に位置するものとして記載されてもよい。
【００６１】
描写される例示的な実施形態では、ケーブルバンドル１９２及び１９４の第１のセグメント１９６は、端点１９５及び１９７により規定されてもよい。しかしながら、ここに記載される体外血液処理装置の異なる実施形態の間で、これらの端点の正確な位置は変化してもよいことが理解されるだろう。しかしながら、端点１９５及び１９７の特定の位置に関わらず、端点１９５及び１９７の間に位置するケーブルバンドル１９２及び１９４の第１のセグメント１９６は、傾斜軸１３３に略位置合わせされるだろう。ここで使用される用語“略位置合わせされ”は、ケーブル１９０の第１のセグメント１９６は、傾斜軸１３３と同一直線上にあるが、完全に同一直線上の関係は必要とされないことを意味してもよい。
【００６２】
また、描写される例示的な実施形態では、ケーブルバンドル１９２及び１９４の第２のセグメント１９８は、端点１９１及び１９９により一般に規定されてもよい。しかしながら、第１のセグメント１９６と同様に、ここに記載される体外血液処理装置の異なる実施形態の間で、これらの端点の正確な位置は変化してもよいことが理解されるだろう。しかしながら、端点１９１及び１９９の特定の位置に関わらず、ケーブルバンドル１９２及び１９４の第２のセグメント１９８は、旋回軸１３１に略位置合わせされるだろう。ここで用語“略位置合わせされ”は、第１のセグメント１９６に対して上で議論したのと同じ意味を有する。ケーブルバンドル１９２及び１９４の各々の第２のセグメント１９８は、ケーブルバンドル１９２及び１９４の第１のセグメント１９６よりも制御部１１１の近くに位置している。１以上の実施形態では、ケーブルバンドル１９２及び１９４の第２のセグメント１９８は、ケーブルが体外血液処理装置の筐体１１２入る位置に近接してケーブルバンドル１９０を再形成するために互いに出会う。
【００６３】
図７に描写されるようなモニタマウントの例示的な実施形態の内部構成要素の回転動作は、旋回軸１３１の周りのモニタマウントのベースの回転を含む。１以上の実施形態では、ベース１５０は、（ケーブルバンドル１９２及び１９４を含む）ケーブルバンドル１９０及び旋回軸１３１が、筐体ベース孔１５８を通過するように位置する筐体ベース孔１５８（図８参照）を含む。旋回軸１３１の周りのモニタマウントのベース１５０を回転することは、旋回軸１３１の周りのモニタ１２０及びモニタアームの対応する回転を伴う。
【００６４】
図７に描写されるようなモニタマウントの内部構成要素の回転動作は、傾斜軸１３３の周りの支柱１４０の回転も含む。傾斜軸１３３の周りのモニタマウントの支柱１４０の回転は、傾斜軸１３３の周りのモニタ１２０の対応する回転を伴う。ここに記載されるようなモニタマウントの１以上の実施形態では、支柱１４０の１つ又は両方は、旋回軸１３１が支柱１４０のベース端開口１６７を通過しないように旋回軸１３１からオフセットされてもよい（以下の支柱１４０のベース端開口１６７の記載を参照）。
【００６５】
体外血液処理装置に取り付けられたモニタがタッチスクリーンである実施形態では、旋回軸及び傾倒軸の周りでモニタを回転するために必要な力の制御は、操作者がタッチスクリーンに表示されたＧＵＩ上でコマンドを入力している時にモニタの望まない移動を制限するのに役立つかもしれない。１以上の実施形態では、モニタマウントは、旋回軸及び／又は傾倒軸の周りでモニタを回転するために必要な力を制御するために、選択されたレベルの摩擦を提供するように構成されてもよい。
【００６６】
ここに記載されるような旋回軸の周りで回転するように構成されたベース及び傾斜軸の周りで回転するように構成された支柱を有する、ベースに取り付けられた２つの支柱を含むモニタマウントの内部構成要素の１つの例示的な実施形態が、図８の分解組立図に描写される。図８に描写されるような機構は、組み立て時に、ここに記載されるようなモニタマウントのベース１５０が旋回軸１３１の周りで回転するのを可能にするように構成された、分解されたアセンブリとして描写された構成要素を含む。描写される機構は、組み立て時に、左支柱１４０が傾斜軸１３３の周りで回転することを可能にするように構成された、アーム１５３の左に対する分解されたアセンブリとして描写された構成要素を含む。
【００６７】
ベース１５０の下に位置する構成要素は、ベースロックナット１７０、（ベース１５０を向く座金１８０により形成された凹部を有する）凹状ばね座金１８０、摩耗ディスク１７９、下側スラスト軸受１７８、ナットプレート１７７、Ｏリング１７６及びナットプレート、ダウエルピン（位置合わせピン）１７５、及び、上側スラスト軸受１７４を含む。例えば図８及び図９に見られるように、ベースロックナット１７０は、ベースロックナット１７０、ばね座金１８０及び摩耗ディスク１７９に旋回軸１３１の周りで調和（一致）して回転させるために、例えば、ばね座金１８０及び摩耗ディスク１７９上の切り欠き１７２等の嵌合特徴と係合するように構成されたベースロックナット１７０上の隆起突起部１７１を含む。そのような構成は、１以上の実施形態では、これらの構成要素間の接触する表面の摩耗を制限するかもしれない。
【００６８】
例えば図８及び図１０に見られるように、ベース１５０の下に位置する構成要素は、凹状ばね座金１８０、摩耗ディスク１７９、下側スラスト軸受１７８、ナットプレート１７７、Oリング１７６、ナットプレートダウエルピン１７５、及び上側スラスト軸受１７４も含む。ナットプレート１７７は、描写される実施形態では、締結リング１８１を通ってナットプレート１７７のネジ穴１８３（例えば図１０を参照）へ延びる留め金具１８２を使用して、体外血液処理装置の筐体に固定的に取り付けられる。さらに、下側スラスト軸受１７８及び上側スラスト軸受１７４も、パーツ内の相補的嵌合特徴によりナットプレート１７７で位置が固定される。
【００６９】
ダウエルピン１７５は、ナットプレート１７７における孔に嵌め込まれ、ベース１５０が旋回軸１３１の周りを回転する弧を制限するためのベース１５０内のスロット１５５に延びる（なぜならナットプレート１７７は、ここに記載されるように、体外血液処理装置の筐体に固定的に取り付けられるため）。ここで議論されるように、その弧は、ここに記載されるようなモニタマウントの異なる実施形態で変化してもよい。
【００７０】
組み立てられる時、ベース１５０とベースロックナット１７０との間に位置する構成要素は、ナット１７０上のネジ山１７３を筐体ベース孔１５８の内部における（不図示の）相補的ネジ山と合わせることによってベース１５０に取り付けられるベースロックナット１７０により、圧縮され且つ包含される。筐体ベース孔１５８に対するロックナット１７０の回転位置は、描写される実施形態ではピン１５１及び止めネジ１５２を使用して固定される。ピン１５１への止めネジの進行がピン１５１をネジ山へ駆動し、ピン１５１は変形するがロックナット１７０上のネジ山は変形しないように、ピン１５１は、１以上の実施形態では、ベースロックナット１７０におけるネジ山よりも柔らかい材質で構成されてもよい１つの例示的な実施形態では、ベースロックナット１７０がステンレス鋼で形成される一方、ピン１５１は、真ちゅうで形成されてもよい。
【００７１】
組み立てられる時、構成要素は、ここに記載されるような体外血液処理装置の筐体に静止位置において取り付けられるナットプレート１７７の周りのベース１５０の回転を提供する。換言すれば、描写されるアセンブリのナットプレート１７７は、ベース１５０が旋回軸１３１の周りを回転する時に旋回軸１３１の周りを回転しない。
【００７２】
描写される実施形態では、ベースロックナット１７０は、ここに記載されるような体外血液処理装置の内部にケーブルが入るパスを提供する筐体アクセス開口の一部と位置合わせし且つそれを形成する中央孔を有する。結果として、筐体ベース孔１５８を通って下に延びるケーブルは、ここに記載されるような体外血液処理装置の筐体に取り付けられたモニタマウントの筐体アクセス開口を通過する時にロックナット１７０の中央孔を通過する。
【００７３】
左支柱１４０が取り付けられるアーム１５３の左に位置する構成要素の分解アセンブリは、組み立てられた時に、傾斜軸１３３の周りの左支柱１４０の回転を可能にする。１以上の実施形態では、同じセットの組み立て構成要素が、右支柱１４０を右ベースアーム１５３に取り付けるために使用されてもよい。
【００７４】
ベースアーム１５３の左に位置する構成要素は、支柱ロックナット１６０、（ベースアーム１５３を向く座金１６２により形成された凹部を有する）凹状ばね座金１６２、摩耗ディスク１６４、及び、左支柱１４０の外側表面に位置しており且つ支柱１４０内に位置するベースエンド開口１６７と位置合わせされた外側スラスト座金１６６を含む。内側スラスト座金１６８は、ベースアーム１５３と支柱１４０の内側表面との間に位置している。（図８及び図１１に見られるように）傾斜軸１３３に沿って構成要素が組み立てられる時、ダウエルピン１６５が、支柱１４０に形成されたスロット１８６や、スラスト座金１６８及びベースアーム１５３を通って形成された開口１８５を通って延びる。ダウエルピン１６５は、摩耗ディスク１６４の凹部１８５にも延びる。組み立てられる時、ダウエルピン１６５は、組立の調整を可能にするために開口１８５及びスロット１８６を通って、その長さに沿って並進移動することが可能にされてもよい。傾斜軸１３３の周りの支柱１４０の回転は、支柱１４０内のベース端開口１６７の部分の周囲に形成されたスロット１８６により規定された弧に制限される。ここで議論されるように、その弧は、ここに記載されるようなモニタマウントの異なる実施形態で変化してもよい。
【００７５】
一緒に組み立てられる時、傾斜軸１３３に沿って位置合わせされた構成要素は、ロックナット１６０上のネジ山１６１をベースアーム孔１５４の内部における（不図示の）相補的ネジ山と合わせることによってベースアーム１５３に取り付けられる支柱ロックナット１６０により、圧縮され且つ包含される。孔１５４に対するロックナット１６０の回転位置は、締め付け時に穴１５４内でロックナット１６０を圧縮する傾斜止めネジ１５６を使用して固定される。組み立てられる時、構成要素は、ここに記載されるような体外血液処理装置の筐体の上の傾斜軸１３３の周りの支柱１４０の回転を提供する。
【００７６】
１以上の実施形態では、傾斜軸１３３に沿って位置合わせされた構成要素が一緒に組み立てられる時に、外側スラスト座金１６８及び内側スラスト座金１６８は、グリース又は類似の潤滑剤を保持するための１以上の潤滑剤リザーバ１８４を含んでもよい。潤滑剤リザーバ１８４は、図８及び図１１に見られるように座金１６４及び１６６における放射状スロットの形態であってもよいが、潤滑剤リザーバの他の構成が提供されてもよい。潤滑剤リザーバ１８４に保持された潤滑剤は、１以上の実施形態では、ここに記載されるようなモニタマウントの定格寿命を通じて傾斜軸１３３の周りのモニタマウントの回転中に、摩擦力のばらつきの低減を提供するかもしれない。
【００７７】
描写される実施形態では、支柱ロックナット１６０は、ここに記載されるように支柱１４０に設けられたベース端開口１６７と位置合わせする中央孔を有する。結果として、支柱１４０の外側（ここで、外側とは、旋回軸１３１から最も遠い側である）から旋回軸１３１に向かって延びるケーブルは、支柱ロックナット１６０中央孔及び支柱１４０に形成されたベース端開口１６７を通過する。
【００７８】
図８に描写されるようなモニタアームの内部構成の描写される実施形態では、留め金具１４４により左右の支柱１４０の両方に取り付けられるオプションのモニタマウントブリッジ１４２を含む。支柱１４０と組み立てられる時、モニタマウントブリッジ１４２は、モニタアームに追加の剛性を提供してもよい。
【００７９】
ここに記載されるようなモニタマウントの１以上の実施形態では、描写される例示的な実施形態における例えばケーブルバンドル１９４等のケーブルバンドルは、ケーブルバンドル１９４の第１のセグメント１９６の少なくとも一部が、左支柱１４０のベース端開口１６７とベース１５０の筐体アクセス開口１１９との間に位置するように、左支柱１４０のベース端開口１６７を通過した後にベース１５０の筐体ベース孔１５８を通ってモニタ１２０から延びる。ケーブルバンドル１９２は、描写される例示的な実施形態では、右支柱１４０を通る類似のパスに従う。
【００８０】
例えば描写される例示的な実施形態等の、ここに記載されるようなモニタマウントの１以上の実施形態では、支柱１４０の各々は、ケーブルプロテクタ１４６と共に中間ケーブル開口１４７も含んでもよい。図７を参照すると、ケーブルバンドル１９２及び１９４の１つ又は両方は、１以上の実施形態では、支柱ロックナット１６０に形成された孔に到達して入る前に支柱１４０の１つにおける中間ケーブル開口１４７（及び支柱１４０における位置合わせされたベース端開口１６７）を通って配線されてもよい。１以上の実施形態では、ケーブルバンドル１９２及び１９４の１つ又は両方は、モニタ１２０から制御部１１１に向かってケーブルバンドル１９２及び１９４に沿って移動する時に支柱１４０の内部側から支柱１４０における中間ケーブル開口１４７へ入ってもよい（ここで、支柱１４０の内部側は、旋回軸１３１を向く支柱１４０の側である）。
【００８１】
ここで議論されるように、ここに記載されるような旋回軸及び傾斜軸の周りでモニタ及びモニタアームを回転するために使用される力は、モニタの望まない移動を制限するように制御されてもよい。ベース１５０をナットプレート１７７へ取り付け、支柱１４０をベースアーム１５３へ取り付けるために使用される構成要素の例示的な実施形態では、それぞれのロックナットの回転は、互いに構成要素を回転するために必要とされる力を調整するために使用できる。
【００８２】
傾斜軸及び旋回軸の周りのモニタ及びモニタアームの回転を制御するために使用される構造の１つの例示的な実施形態が図７及び図８に描写されるが、ここに記載されたものに代えて多くの他の構造を使用でき、本発明は、描写される例示的な実施形態における構成要素の特定の構成に限定されるべきものではない。１つの代替構造は、傾斜軸及び旋回軸の１つ又は両方の周りの回転を制御するために１以上のディテント機構（回り止め機構）を含んでもよい。
【００８３】
ここに記載されるモニタマウントは、モニタが傾斜軸及び旋回軸の周りを回転できるようにモニタを体外血液処理装置の筐体内の制御部と接続するケーブルと共に構成される傾斜軸及び旋回軸を含む。傾斜軸及び旋回軸は、互いに対して、及び、筐体アクセス開口、すなわちケーブルが体外血液処理装置の筐体に入る開口に対して、１以上の選択された構成を有してもよい。
【００８４】
１以上の実施形態では、旋回軸と位置合わせされた方向に沿った傾斜軸の投影は、筐体アクセス開口と交差する。そのような構成の一実施形態の概略図が図１２Ａ及び図１２Ｂに描写され、ここで旋回軸１３１は、（例えば図８に描写されるようなモニタマウントのベース１５０における筐体ベース開口１５８と位置合わせされるであろう）筐体１１２における筐体アクセス開口１１９を通って延びるものとして描写されている。図１２Ｂに最も良く見られるように、傾斜軸１３３の筐体１１２上への下向きの投影は、筐体アクセス開口１１９と交差するだろう。
【００８５】
１以上の実施形態では、傾斜軸と位置合わせされた方向に沿った旋回軸の投影は、モニタマウントの支柱の１つ又は両方のベース端開口と交差する。そのような構成の一実施形態が図８に見ることができ、ここで傾斜軸１３３に沿った何れかの方向への旋回軸１３１の投影は、支柱１４０の１つのベース端開口１６７を通って延びる。
【００８６】
ここに記載されるモニタマウントの１以上の実施形態では、旋回軸は傾斜軸と交差してもよい。旋回軸及び傾斜軸のこの構成の１つの実例が、例えば図３、図４及び図６に描写される（そこでは、旋回軸３１は傾斜軸３３と交差している）。別の実例が図８に描写される（そこでは、旋回軸１３１が傾斜軸１３３と交差している。）。
【００８７】
ここで議論されるように、モニタアームは、ここに記載されるような体外血液処理装置上でモニタを支持するモニタアームの構成要素（例えばケーブル、支持支柱等）への直接的な視覚アクセスを防止するためにシュラウドを含んでもよい。１以上の実施形態では、シュラウドは、（ここに記載されるようなモニタアームのベースの下に／内に位置する）筐体アクセス開口、及び／又は、ここに記載されるような体外血液処理装置の筐体内の構成要素にモニタを接続する任意のケーブル（例えば第１及び第２のケーブル）、への視界アクセスのダイレクトラインを防止してもよい。１以上の実施形態では、シュラウドは、ここに記載されるような体外血液処理装置の筐体の内部への液体（例えば体外血液処理装置を消毒するために使用される液体洗浄溶液等）の侵入を防止する或いは少なくとも十分制限してもよい。
【００８８】
ここに記載されるようなモニタマウントの１以上の実施形態におけるシュラウドを形成するために使用されてもよいシュラウドアセンブリの１つの例示的な実施形態が図１３に描写される。描写されるシュラウドアセンブリ２００は、ここに記載されるようなケーブルの通過を可能にする方法でモニタアームのベース１５０に対してフィットするように構成されたシュラウドベース２０２及びシュラウドベースケーブルカバー２０４を含むシュラウドアセンブリ２００で、ベース１５０に取り付けられた２つの支柱１４０を含むモニタアームを覆うように構成される。シュラウドアセンブリ２００は、シュラウドベース２０２及びシュラウドベースケーブルカバー２０４により覆われない、モニタ（不図示）をベース１５０に接続する支柱１４０及びベース１５０の残りを囲むためのフロントシュラウドパネル２０６及びリアシュラウドパネル２０８をさらに含む。
【００８９】
シュラウド２０２、シュラウドベースケーブルカバー２０４、シュラウドフロントパネル２０６及びシュラウドリアパネル２０８は、１以上の実施形態では、（ここに記載されるようにベース１５０の下に／内に位置する）筐体アクセス開口、支柱１４０、及び、ここに記載されるように体外血液処理装置の筐体内の構成要素にモニタを接続する任意のケーブル（例えば第１及び第２のケーブル）への視界アクセスのダイレクトラインを防止するように（ここで議論されるように）構成されてもよい。１以上の実施形態では、（例えばシュラウドアセンブリ２００等の）ここに記載されるようなモニタマウント上で使用されるシュラウドは、モニタアームが位置する体外血液処理装置の筐体の内部への液体の侵入を防止する或いは少なくとも十分制限してもよい。
【００９０】
それらの機能を達成するために、すなわち、視界アクセスのダイレクトラインを防止し、且つ、液体の筐体への侵入を防止する或いは制限するために、シュラウドアセンブリ２００の描写される例示的な実施形態のシュラウドベースケーブルカバー２０４は、シュラウドベース２０２の中央部分におけるベース１５０の近くの支柱１４０の間に位置している。シュラウドベース２００及びシュラウドベースケーブルカバー２０４は、モニタマウントの姿勢に関わらずシュラウドアセンブリ２００の部分を通過するケーブルへの視界アクセスのダイレクトラインを防止するために、相互に嵌合するように構成された相補的な嵌合面２０１を含む。シュラウドベースケーブルカバー２０４、フロントシュラウドパネル２０６、及びリアシュラウドパネル２０８は、相互に嵌合するように構成され且つモニタマウントの姿勢に関わらず組み立てられる時にシュラウドベースケーブルカバー２０４の各端においてケーブル及びベース１５０への視界アクセスのダイレクトラインを防止するように構成された、相補的な嵌合面２０３も含む。さらに、フロントシュラウドパネル２０６及びリアシュラウドパネル２０８は、ベース１５０と支柱１４０により支持されるモニタ（不図示）との間の支柱１４０への視界アクセスのダイレクトラインを防止するために、相互に嵌合する相補的な嵌合面２０５を含む。描写される実施形態では、フロントシュラウドパネル２０６及びリアシュラウドパネル２０８は、支柱１４０に取り付けられるモニタ（不図示）上の対応する嵌合面と嵌合するように構成された嵌合面２０７を含む。
【００９１】
特許、特許文書、及びここで特定される公報の完全な開示は、各々が個々に組み込まれるかのようにそれらの全体が参照により組み込まれる。この文書とそのように組み込まれた文書の開示との矛盾又は不一致になる程度まで、この文書は制御するだろう。
【００９２】
旋回軸及び傾斜軸の周りを回転するように構成されたモニタ及びモニタマウントを含む体外血液処理装置の例示的な実施形は、記載されるようないくつかの可能性のある変形と共にここに議論される。本発明のこれらの及び他の変形及び修正が、本発明の範囲を逸脱することなく当業者にとって明らかであろうし、本発明がここに明らかにされた例示的な実施形態に限定されないことが理解されるべきである。従って、本発明は、以下に提供される特許請求の範囲及びその均等物によってのみ限定される。この発明は、ここで必要であるものとして具体的に開示されていない任意の要素無しに適当に実践されてもよいことも理解されるべきである。
【図１】
2018534063.tif 000003
【図２】
2018534063.tif 000004
【図３】
2018534063.tif 000005
【図４】
2018534063.tif 000006
【図５】
2018534063.tif 000007
【図６】
2018534063.tif 000008
【図７】
2018534063.tif 000009
【図８】
2018534063.tif 000010
【図９】
2018534063.tif 000011
【図１０】
2018534063.tif 000012
【図１１】
2018534063.tif 000013
【図１２Ａ】
2018534063.tif 000014
【図１２Ｂ】
2018534063.tif 000015
【図１３】
2018534063.tif 000016
【国際調査報告】
2018534063.tif 000017
2018534063.tif 000018
2018534063.tif 000019